(57)【要約】【課題】プロテクタ内で電線を押え込んで固定する際に、電線の位置のばらつきをなるべく抑制することを目的とする。【解決手段】プロテクタ２０は、プロテクタ本体部２１と、蓋部３０とを備える。プロテクタ本体部２１は、底部２２と、底部２２の両側部から底部２２の一方主面側に延在する一対の側壁部２４Ａ、２４Ｂとを有し、一方の側壁部２４Ａから他方の側壁部２４Ｂに向うのに従って徐々に底部２２に近づくように、一方の側壁部２４Ａから底部２２に向けて延在する押付片２６が形成されている。蓋部３０は、底部２２の反対側で一対の側壁部２４Ａ、２４Ｂ間の開口を閉じる。【選択図】図２
2018042394.tif 000002
【特許請求の範囲】
【請求項１】
底部と、前記底部の両側部から前記底部の一方主面側に延在する一対の側壁部とを有し、前記一対の側壁部の一方から他方に向うのに従って徐々に前記底部に近づくように、前記一方の側壁部から前記底部に向けて延在する押付片が形成されたプロテクタ本体部と、
前記底部の反対側で前記一対の側壁部間の開口を閉じる蓋部と、
を備えるプロテクタ。
【請求項２】
請求項１に記載のプロテクタであって、
前記底部の延在方向における部分的な位置に前記押付片が形成され、
前記底部のうち前記押付片が形成された部分に開口部が形成されている、プロテクタ。
【請求項３】
請求項１又は請求項２に記載のプロテクタであって、
前記押付片が平板状に形成されている、プロテクタ。
【請求項４】
請求項１から請求項３のいずれか１項に記載のプロテクタと、
前記押付片により前記蓋部と前記他方の側壁部とに押付けられた状態で、前記プロテクタ本体部内に配設された電線と、
を備えるプロテクタ付電線。
【発明の詳細な説明】
【技術分野】
【０００１】
この発明は、電線をプロテクタ内に固定する技術に関する。
【背景技術】
【０００２】
特許文献１は、本体部と蓋体とからなるプロテクタにおいて、蓋体に線状体を押圧する可撓性の押圧部を一体的に設けた構成を開示している。特許文献２にも、同様の構成が開示されている。
【０００３】
特許文献３は、プロテクタ本体に切欠き孔を形成し、当該切欠き孔内に本体内に収容されるべく曲げられた電線保持板を本体両側壁に吊られた状態で成型した構成を開示している。
【先行技術文献】
【特許文献】
【０００４】
【特許文献１】実公平５-４０６５８号公報
【特許文献２】特開平８−２５６４１６号公報
【特許文献３】実公平４−４１７０６号公報
【発明の概要】
【発明が解決しようとする課題】
【０００５】
しかしながら、特許文献１から３に開示の技術によると、プロテクタ本体の幅方向において電線の位置がばらつくという問題がある。
【０００６】
そこで、本発明は、プロテクタ内で電線を押え込んで固定する際に、電線の位置のばらつきをなるべく抑制することを目的とする。
【課題を解決するための手段】
【０００７】
上記課題を解決するため、第１の態様に係るプロテクタは、底部と、前記底部の両側部から前記底部の一方主面側に延在する一対の側壁部とを有し、前記一対の側壁部の一方から他方に向うのに従って徐々に前記底部に近づくように、前記一方の側壁部から前記底部に向けて延在する押付片が形成されたプロテクタ本体部と、前記底部の反対側で前記一対の側壁部間の開口を閉じる蓋部とを備える。
【０００８】
第２の態様は、第１の態様に係るプロテクタであって、前記底部の延在方向における部分的な位置に前記押付片が形成され、前記底部のうち前記押付片が形成された部分に開口部が形成されているものである。
【０００９】
第３の態様は、第１又は第２の態様に係るプロテクタであって、前記押付片が平板状に形成されているものである。
【００１０】
第４の態様に係るプロテクタ付電線は、第１から第３のいずれか１つの態様に係るプロテクタと、前記押付片により前記蓋部と前記他方の側壁部とに押付けられた状態で、前記プロテクタ本体部内に配設された電線とを備える。
【発明の効果】
【００１１】
第１から第４の態様によると、プロテクタ本体部内に電線を配設した状態で、蓋部を閉じると、押付片は、電線を蓋部及び他方の側壁部に向けて押付ける。このため、プロテクタ内で電線を押え込んで固定する際に、電線の位置のばらつきをなるべく抑制することができる。
【００１２】
第２の態様によると、開口部を利用して、押付片を容易に金型形成できる。
【００１３】
第３の態様によると、押付片がなるべく大きい接触面積で電線を押付けることができ、電線の外傷等を抑制できる。
【図面の簡単な説明】
【００１４】
【図１】実施形態に係るプロテクタ付電線を示す斜視図である。
【図２】同上のプロテクタ付電線を示す側面図である。
【図３】プロテクタを開いた状態を示す斜視図である。
【図４】プロテクタを開いた状態を示す斜視図である。
【図５】プロテクタを開いた状態を示す側面図である。
【図６】プロテクタを開いた状態を示す底面図である。
【図７】比較的太径の電線又は電線束をプロテクタに収容した状態を示す側面図である。
【発明を実施するための形態】
【００１５】
以下、実施形態に斯かるプロテクタ及びプロテクタ付電線について説明する。図１はプロテクタ付電線１０を示す斜視図であり、図２はプロテクタ付電線１０を示す側面図である。図３及び図４はプロテクタ２０を開いた状態を示す斜視図であり、図５はプロテクタ２０を開いた状態を示す側面図であり、図６はプロテクタ２０を開いた状態を示す底面図である。
【００１６】
プロテクタ付電線１０は、電線１２と、プロテクタ２０とを備える。
【００１７】
電線１２は、金属等で形成された導電線である芯線の周囲に絶縁被覆が形成されたものである。電線１２は、電力の供給或は信号の伝送を行う。ここでは、プロテクタ付電線１０は、複数の電線１２を含む。図１及び図２等において、複数の電線１２の束を電線束１２Ａとして示している。電線束１２Ａは、本プロテクタ２０によって収容される部分、又は、その外部で分岐していてもよい。電線束１２Ａがプロテクタ２０によって収容される部分で分岐する場合、プロテクタ２０には、その延在方向中間部で分岐した部分を外部に延出させる開口が形成されているとよい。
【００１８】
複数の電線１２の端部には、コネクタが取付けられている。そして、本プロテクタ付電線１０が車両に組付けられた状態で、各コネクタが車両に搭載された各種電気部品にコネクタ接続される。すなわち、電線束１２Ａは、車両における配線材であるワイヤーハーネスとして用いられる。電線１２に対して、光ファイバーケーブルが一緒に束ねられていてもよい。ここでは、プロテクタ２０が、電線束１２Ａのうち直線状に束ねられた一部分を収容する例で説明する。
【００１９】
なお、プロテクタ２０には、単数の電線１２が収容されてもよい。電線束１２Ａは、粘着テープ等によって束ねた状態に維持されていてもよい。
【００２０】
プロテクタ２０は、電線束１２Ａの一部を収容する。電線束１２Ａは、プロテクタ２０の一端側及び他端側の開口から外部に引出される。
【００２１】
プロテクタ２０は、プロテクタ本体部２１と、蓋部３０とを備える。ここでは、プロテクタ２０は、プロテクタ本体部２１と蓋部３０とが一体的に樹脂等によって金型成形された構成とされている。
【００２２】
プロテクタ本体部２１は、底部２２と一対の側壁部２４Ａ、２４Ｂとを備える。
【００２３】
底部２２は、長方形板状に形成されている。底部は、その途中で幅方向又は厚み方向に曲っていてもよい。
【００２４】
一対の側壁部２４Ａ、２４Ｂは、底部２２の両側部から底部２２の一方主面側に立上がるように延在している。ここでは、一対の側壁部２４Ａ、２４Ｂは、長方形板状に形成されており、底部２２に対して直交姿勢で立上がっている。また、一対の側壁部は、底部に対して弯曲部を介して繋がっている。一対の側壁部の高さ寸法は、その途中で変動してもよい。また、一対の側壁部の高さ寸法は、相互に異なっていてもよい。
【００２５】
そして、底部２２と一対の側壁部２４Ａ、２４Ｂとで囲まれる空間内に、電線束１２Ａの延在方向の中間部を収容できるようになっている。
【００２６】
一方の側壁部２４Ａの外面のうち底部２２とは反対側の部分に、ロック受部２５が設けられている。ロック受部２５は、底部２２に直交する方向に貫通する開口２５ｈを有しており、後述する蓋部３０のロック片３２が本開口２５ｈに挿通されることで、ロック受部２５に係止固定される。
【００２７】
プロテクタ本体部２１には、押付片２６が形成されている。押付片２６は、一方の側壁部２４Ａから他方の側壁部２４Ｂに向うのに従って徐々に底部２２に近づくように、一方の側壁部２４Ａから底部２２に向けて延在するように形成されている。
【００２８】
より具体的には、押付片２６は、底部２２の延在方向における部分的な位置に形成されている。ここでは、底部２２の延在方向中央の部分的な位置に押付片２６が形成されている。底部がより長い場合、押付片は、底部の少なくとも一方の端部寄りの位置に形成されていてもよいし、底部の延在方向中間部の任意の部分に形成されていてもよい。
【００２９】
また、押付片２６は、一方の側壁部２４Ａのうち底部２２とは反対側の縁部寄りの位置から底部２２のうち他方の側壁部２４Ｂ寄りの位置に向うように延在している。押付片が一方の側壁部及び底部に対して繋がる位置は、上記例に限られない。押付片は、一方の側壁部の上下方向中間部又は底部寄りの位置に繋がっていてもよいし、底部の幅方向中央部又は一方の側壁部寄りの位置に繋がっていてもよい。もっとも、押付片２６が一方の側壁部２４Ａ及び底部２２に対して上記位置で繋がることで、押付片２６の幅をなるべく大きくして弾性変形可能な領域を大きくすることができ、もって、より多種の径の電線束１２Ａに対応可能とすることができる。
【００３０】
また、押付片２６は、平板状に形成されている。電線１２への外傷を抑制するという観点からすると、プロテクタ本体部２１の延在方向における押付片２６の長さ寸法は、好ましくは、１０ｍｍ以上である。もっとも、押付片は、底部の延在方向に対して直交する断面で観察した場合、弧状等に弯曲していてもよい。また、押付片２６は、底部２２及び側壁部２４Ａ、２４Ｂの厚み寸法よりも小さく厚み方向に形成されており、底部２２及び側壁部２４Ａ、２４Ｂよりも容易に弾性変形できるようになっている。
【００３１】
また、底部２２のうち押付片２６が形成された部分には開口部２２ｈが形成されている。そして、プロテクタ本体部２１を底部２２の厚み方向（底部２２に対する一対の側壁部２４Ａ、２４Ｂの延在方向）で見た場合、押付片２６のうち底部２２側の面が上記開口部２２ｈ内に存在するようになっている。これにより、押付片２６を容易に金型成形できる。
【００３２】
すなわち、プロテクタ２０を形成する場合には、底部２２に対して側壁部２４Ａ、２４Ｂが垂直姿勢で延出していることから、底部２２の両面側から合体する金型によって成形すれば、複雑な金型を用いる必要性が少なくなる。この際、押付片２６のうち底部２２側の面が上記開口部２２ｈ内に存在していれば、押付片２６のうち底部２２とは反対側の面はプロテクタ本体部２１のうち底部２２とは反対側の開口を通じて外部に露出しているため、底部２２の両面側から合体する金型によって、押付片２６をも金型成形することができる。
【００３３】
蓋部３０は、底部２２と同様の長方形板状に形成されており、底部２２の反対側で一対の側壁部２４Ａ、２４Ｂの間の開口を閉じる。
【００３４】
蓋部３０の一方の側部であってロック受部２５に対応する位置には、ロック片３２が突設されている。ロック片３２は、蓋部３０の一方の側部からプロテクタ本体部２１側に向けて突出する板状部３３と、板状部３３の先端部の外面に突出するロック突部３４とを備える。ロック突部３４は、ロック片３２の先端側に向けて徐々に高さ寸法が小さくなる形状に形成されている。そして、ロック片３２をロック受部２５の開口２５ｈに挿通すると、ロック突部３４が開口２５ｈを抜出た状態で、開口２５ｈの周縁部に抜止め係止する。これにより、ロック片３２とロック受部２５とがロックされる。なお、蓋部３０の一方の側部には、一方の側壁部２４Ａの上側縁部の外面に被さる重複部３０ｐが形成されている。
【００３５】
蓋部３０の他方の側部は、他方の側壁部２４Ｂのうち底部２２とは反対側の縁部にヒンジ部３１を介して繋がっている。ヒンジ部３１は、底部２２及び側壁部２４Ａ、２４Ｂの厚み寸法よりも小さい厚み寸法に形成されており、蓋部３０は、ヒンジ部３１を中心に回転して介してプロテクタ本体部２１の開口を開閉可能に覆う。
【００３６】
そして、蓋部３０を、ヒンジ部３１を中心に回転させてプロテクタ本体部２１の開口を塞ぎ、ロック片３２をロック受部２５にロックさせることで、蓋部３０がプロテクタ本体部２１の開口を覆った状態に保たれる。
【００３７】
ここで、本プロテクタ２０のうち押付片２６を形成した部分を、プロテクタ本体部２１の延在方向に対して直交する方向で見た場合において、他方の側壁部２４Ｂと、押付片２６と、蓋部３０とに接する内接円Ｃを考える。内接円Ｃの直径寸法Ｒは、本プロテクタ２０に収容されることが想定される各種電線束１２Ａ（後述する電線束１１２Ａに関する説明参照）の外径寸法の最小値Ｒminよりも小さいことが好ましい。これにより、電線束１２Ａを収容した状態で、当該電線束１２Ａが、押付片２６の弾性力によって他方の側壁部２４Ｂ及び蓋部３０に押付けられるようになる。
【００３８】
なお、蓋部３０がヒンジ部３１を介してプロテクタ本体部２１と繋がって一体形成されていることは必須ではない。蓋部の両側部にロック片が設けられると共に、一対の側壁部の両側にロック受部が設けられた構成であってもよい。
【００３９】
プロテクタ２０に対する電線束１２Ａの収容作業は、次のようになされる。
【００４０】
すなわち、電線束１２Ａを、底部２２の反対側から底部２２と一対の側壁部２４Ａ、２４Ｂとで囲まれる空間内に配設する。この状態で、蓋部３０をヒンジ部３１周りに回転させて、底部２２側に押付ける。この際、電線束１２Ａは、重力に従って又は蓋部３０に押されて、押付片２６の傾斜に従って、底部２２及び他方の側壁部２４Ｂ側に移動する。電線束１２Ａが底部２２及び他方の側壁部２４Ｂの両方に接すると、電線束１２Ａは蓋部３０によって押されて、押付片２６を底部２２側に押す。これにより、押付片２６の幅方向中間部が底部２２側に凸となる弯曲形状を描くように弾性変形する。そして、ロック片３２をロック受部２５にロックすると、押付片２６が元の形状に戻ろうとする弾性力により、電線束１２Ａが他方の側壁部２４Ｂの内面及び蓋部３０の内面に押付けられた状態となる。
【００４１】
また、車両におけるオプション電気部品の有無の違い、設計変更等により、図２で示す電線束１２Ａよりも太い電線束１１２Ａをプロテクタ２０に収容する事態が生じ得る。このような場合には、図７に示すように、押付片２６がより大きく湾曲するように弾性変形することによって、当該太い電線束１１２Ａを、押付片２６と他方の側壁部２４Ｂと蓋部３０とで囲まれる空間内に配設することができる。この場合でも、電線束１１２Ａは、他方の側壁部２４Ｂに寄った位置で固定される。
【００４２】
なお、押付片２６は、一方の側壁部２４Ａから他方の側壁部２４Ｂに向うのに従って徐々に底部２２に近づくように、一方の側壁部２４Ａから底部２２に向けて延在しており、蓋部３０は、他方の側壁部２４Ｂに対してヒンジ部３１を介して繋がっている。このため、蓋部３０は、主としてヒンジ部３１側の領域で電線束１２Ａ、１１２Ａを、蓋部３０又は他方の側壁部２４Ｂに向けて押付ける。従って、押付片２６の弾性力を、主として蓋部３０のうちヒンジ部３１側で受けることができ、ロック片３２がロック受部２５から外れ難い。
【００４３】
以上のように構成されたプロテクタ２０及びプロテクタ付電線１０によると、プロテクタ本体部２１内に電線束１２Ａ、１１２Ａを配設した状態で、蓋部３０を閉じると、押付片２６は、電線束１２Ａ、１１２Ａを、蓋部３０又は他方の側壁部２４Ｂに向けて押付ける。このため、プロテクタ２０内で電線束１２Ａ、１１２Ａを押え込んで固定する際に、電線束１２Ａ、１１２Ａは、他方の側壁部２４Ｂに沿った位置に配設されることになり、その位置のばらつきをなるべく抑制することができる。これにより、プロテクタ付電線１０を車両等に組込んだ状態で、電線束１２Ａ、１１２Ａの余長又は寸法足らず等が発生し難くなり、高寸法精度のプロテクタ付電線１０を製造することができる。
【００４４】
また、従来、プロテクタに対して電線を固定する構造として、プロテクタの端部に突設されたベラ状部分と電線とに粘着テープ又は結束バンドを巻付ける構成もあるが、これらの構成と比較して、粘着テープ又は結束バンド等の結束部品及び結束作業を省略することができる。また、プロテクタの端部に形成されたベラ状部分は、車両の他の部分に干渉する恐れがあった。また、ベラ状部分は、比較的細い部分が外方に突出する部分であるため、強度不足により破損する恐れもあった。本プロテクタ２０では、その内部の押付片２６の押付け力によって電線束１２Ａ、１１２Ａを固定するため、車両の他の部分への干渉問題は生じ難く、また、強度不足といった問題も生じ難い。
【００４５】
また、底部２２に開口部２２ｈが形成されているため、当該開口部２２ｈを利用して、押付片２６を容易に金型形成できる。
【００４６】
また、押付片２６は、平板状に形成されているため、なるべく大きい接触面積で電線束１２Ａ、１１２Ａを押付けることができる。これにより、電線１２への外傷等を抑制できる。
【００４７】
なお、上記実施形態及び各変形例で説明した各構成は、相互に矛盾しない限り適宜組合わせることができる。
【００４８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４９】
１０    プロテクタ付電線
１２    電線
１２Ａ、１１２Ａ    電線束
２０    プロテクタ
２１    プロテクタ本体部
２２    底部
２２ｈ    開口部
２４Ａ、２４Ｂ    側壁部
２６    押付片
３０    蓋部
【図１】
2018042394.tif 000003
【図２】
2018042394.tif 000004
【図３】
2018042394.tif 000005
【図４】
2018042394.tif 000006
【図５】
2018042394.tif 000007
【図６】
2018042394.tif 000008
【図７】
2018042394.tif 000009